(57)【要約】【課題】表面幾何学形状及び表面色が同一の捕捉済み２Ｄ画像から導出されるという、対象物の表面幾何学形状及び表面色を記録するスキャナ・システム及び方法を提供する。【解決手段】画像センサ・ピクセルのブロックに対する表面幾何学形状情報及び表面色情報の両方が、少なくとも部分的に、カラー画像センサにより記録された一つの２Ｄ画像からであるという、対象物の表面幾何学形状及び表面色を記録するスキャナ・システム及び方法が開示される。【選択図】図１
2019066494.tif 000002
【特許請求の範囲】
【請求項１】
対象物の表面幾何学形状及び表面色を記録するスキャナ・システムであって、
前記対象物の照明のための多色プローブ光を提供すべく構成された多色光源と、
前記対象物から受信された光の一つ以上の２Ｄ画像を捕捉する画像センサ・ピクセルのアレイを備えるカラー画像センサと、
少なくとも部分的に、前記カラー画像センサにより記録された一つの２Ｄ画像から、前記画像センサ・ピクセルの一つのブロックに対する表面幾何学形状情報及び表面色情報の両方を導出すべく構成されたデータ処理システムと、
を備える、スキャナ・システム。
【請求項２】
前記データ処理システムは、前記画像センサ・ピクセルのブロックに対する表面幾何学形状情報及び表面色情報を、一連の２Ｄ画像から導出すべく構成される、請求項１に記載のスキャナ・システム。
【請求項３】
前記データ処理システムは、複数のブロックの画像センサ・ピクセルから導出された表面幾何学形状情報及び表面色情報に基づき、対象物表面の一部分の部分的走査結果を生成すべく構成される、請求項１または２に記載のスキャナ・システム。
【請求項４】
前記データ処理システムは、所定数の部分的走査結果を組み合わせて前記対象物のデジタル３Ｄ表現物を生成すべく構成される、請求項１から３のいずれか一つの請求項に記載のスキャナ・システム。
【請求項５】
当該スキャナ・システムは、各々の一連の捕捉された２Ｄ画像が２Ｄ画像の積層群を形成する如く、当該焦点スキャナ・システムの光軸に沿い焦点面を平行移動させ、且つ、異なる焦点面位置において２Ｄ画像を捕捉することにより動作する焦点スキャナ・システムである、請求項２から４のいずれか一つの請求項に記載のスキャナ・システム。
【請求項６】
当該スキャナ・システムは、前記プローブ光中に空間的パターンを取入れるべく構成されたパターン生成素子を備える、先行請求項のいずれか一つの請求項に記載のスキャナ・システム。
【請求項７】
前記表面幾何学形状情報及び前記表面色情報を導出する段階は、幾つかの２Ｄ画像に対し、前記画像センサ・ピクセルのブロックにより捕捉された２Ｄ画像の部分と、前記空間的パターンの構成の情報に基づいて決定される加重関数と、の間の相関測度を算出する段階を有する、先行請求項のいずれか一つの請求項に記載のスキャナ・システム。
【請求項８】
画像センサ・ピクセルのブロックに対して前記表面幾何学形状情報及び前記表面色情報を導出する段階は、前記光軸に沿い、対応する相関測度が最大値を有する位置を特定する段階を有する、先行請求項に記載のスキャナ・システム。
【請求項９】
部分的走査結果を生成する段階は、画像センサ・ピクセルの各ブロックに対して前記光軸に沿う相関測度の変動を記述する相関測度関数を決定する段階と、前記光軸に沿い、前記ブロックに対して前記相関測度関数がその最大値を有する位置を特定する段階とを備える、請求項７または８に記載のスキャナ・システム。
【請求項１０】
最大の相関測度値は、前記画像センサ・ピクセルのブロックに対して算出された最高の相関測度値、及び／または、前記画像センサ・ピクセルのブロックに対する前記相関測度関数の最高の最大値である、先行請求項に記載のスキャナ・システム。
【請求項１１】
前記データ処理システムは、前記一連の２Ｄ画像の内で、前記相関測度が画像センサ・ピクセルの対応ブロックに対して最大値を有するという２Ｄ画像の表面色情報に基づき、生成された部分的走査結果上の点に対する部分的走査結果の色を決定すべく構成される、先行請求項のいずれか一つの請求項に記載のスキャナ・システム。
【請求項１２】
前記データ処理システムは、前記一連の２Ｄ画像の内で、前記相関測度が画像センサ・ピクセルの対応ブロックに対して最大値を有するという２Ｄ画像の表面色情報と、前記一連の捕捉された２Ｄ画像からの隣接２Ｄ画像の如き少なくとも一つの付加的な２Ｄ画像とに基づき、生成された部分的走査結果上の点に対する部分的走査結果の色を決定すべく構成される、先行請求項に記載のスキャナ・システム。
【請求項１３】
前記データ処理システムは、前記部分的走査結果の色を決定するときに、一連の隣接する２Ｄ画像の表面色情報の補間の如き、一連の少なくとも２つの２Ｄ画像の表面色情報を補間すべく構成される、先行請求項に記載のスキャナ・システム。
【請求項１４】
前記データ処理システムは、前記部分的走査結果の所定数の点に対して平滑化された部分的走査結果の色を算出すべく構成され、
前記算出段階は、前記部分的走査結果上の周囲の複数の点の色の加重平均の如き、異なる複数の点の部分的走査結果の色を平均化する段階を有する、先行請求項のいずれか一つの請求項に記載のスキャナ・システム。
【請求項１５】
前記データ処理システムは、前記対象物の生成されたデジタル３Ｄ表現物が該対象物の幾何学形状及び色の変化特性の両方を表現する如く、前記デジタル３Ｄ表現物の少なくとも一つの点の対象物カラーを決定すべく構成される、先行請求項のいずれか一つの請求項に記載のスキャナ・システム。
【請求項１６】
前記対象物カラーを決定する段階は、対象物表面のその点において重なり合う複数の部分的走査結果における対応点に対して導出された部分的走査結果のカラー値の加重平均値を算出する段階を有する、先行請求項に記載のスキャナ・システム。
【請求項１７】
前記データ処理システムは、捕捉された２Ｄ画像において飽和ピクセルを検出すべく、且つ、導出された表面色情報または部分的走査結果の色においてピクセル飽和により引き起こされたエラーを緩和もしくは除去すべく構成される、先行請求項のいずれか一つの請求項に記載のスキャナ・システム。
【請求項１８】
前記飽和ピクセルにより引き起こされたエラーは、平滑化された部分的走査結果の色を算出する上で、飽和ピクセルの表面色情報に対して低い重みを割当てることにより、且つ／又は、前記飽和ピクセルに基づいて算出された部分的走査結果の色に対して低い重みを割当てることにより、緩和もしくは除去される、先行請求項に記載のスキャナ・システム。
【請求項１９】
前記データ処理システムは、前記対象物の捕捉された２Ｄ画像及び／または生成された部分的走査結果の区画の導出された表面色情報を、歯及び口腔組織に対する所定の色範囲と比較すべく、且つ、その色が、２つの所定の色範囲の一方内ではないという区画に対して導出された表面色情報または部分的走査結果の色の赤色成分を抑制すべく構成される、先行請求項のいずれか一つの請求項に記載のスキャナ・システム。
【請求項２０】
前記カラー画像センサは、各カラー・フィルタが夫々、既知である波長範囲W1、W2及びW3の光が当該カラー・フィルタを通り伝搬することを許容するという少なくとも３つの型のカラー・フィルタを備えるカラー・フィルタ・アレイを備える、先行請求項のいずれか一つの請求項に記載のスキャナ・システム。
【請求項２１】
前記表面幾何学形状情報は、前記多色光源により提供されるスペクトルの選択波長範囲における光から導出される、先行請求項のいずれか一つの請求項に記載のスキャナ・システム。
【請求項２２】
前記カラー・フィルタ・アレイは、該アレイのピクセルの割合であって、前記スペクトルの選択された波長範囲に合致するカラー・フィルタを備えたというピクセルの割合が50％超であり、斯かる割合は32／36、60／64または96／100に等しい如きである、先行請求項に記載のスキャナ・システム。
【請求項２３】
前記選択された波長範囲は前記W2波長範囲に合致する、請求項２１または２２に記載のスキャナ・システム。
【請求項２４】
前記カラー・フィルタ・アレイは、6×6カラー・フィルタの複数のセルを備え、
各セルの位置(2,2)及び(5,5)におけるカラー・フィルタは前記W1型であり、位置(2,5)及び(5,2)におけるカラー・フィルタは前記W3型である、請求項２１から２３のいずれか一つの請求項に記載のスキャナ・システム。
【請求項２５】
前記6×6セルにおける残りの32個のカラー・フィルタは、前記W2型である、先行請求項に記載のスキャナ・システム。
【請求項２６】
前記パターン生成素子は、前記空間的パターンが、市松模様パターンで配置された交互配置的な暗い領域及び明るい領域を備えることを実現すべく構成される、先行請求項に記載のスキャナ・システム。
【請求項２７】
対象物の表面幾何学形状及び表面色を記録するスキャナ・システムであって、該スキャナ・システムは、
多色プローブ光を提供すべく構成された多色光源と、
前記対象物から受信された光の一つ以上の２Ｄ画像を捕捉する画像センサ・ピクセルのアレイを備えるカラー画像センサと、
を備え、
前記画像センサ・ピクセルの少なくとも一つのブロックに対し、前記対象物の一部分の表面色情報及び表面幾何学形状情報の両方が、少なくとも部分的に、前記カラー画像センサにより捕捉された一つの２Ｄ画像から導出される、
スキャナ・システム。
【請求項２８】
対象物の表面幾何学形状及び表面色を記録する方法であって、
先行請求項のいずれか一つの請求項に記載のスキャナ・システムを獲得する段階と、
前記多色光源からの多色プローブ光により前記対象物の表面を照らす段階と、
前記カラー画像センサを用いて前記対象物の一連の２Ｄ画像を捕捉する段階と、
少なくとも部分的に、捕捉された一つの２Ｄ画像から、画像センサ・ピクセルの一つのブロックに対する表面幾何学形状情報及び表面色情報の両方を導出する段階と、
を有する、方法。
【発明の詳細な説明】
【技術分野】
【０００１】
本出願は、対象物の表面幾何学形状及び表面色の３次元(３Ｄ)走査に関する。特定の用途は、特に口腔内走査に対する歯科医療におけるものである。
【背景技術】
【０００２】
３Ｄスキャナは当業界において広く知られており、口腔内の歯科用３Ｄスキャナもそうである(例えば、Sirona Cerec、Cadent Itero、3Shape TRIOSなど)。
【０００３】
多くの用途において、表面色を記録する機能は有用である。例えば、歯科医療において、ユーザは、異なる種類の組織を区別し、または、既存の修復を検出し得る。例えば材料検査において、ユーザは、結晶化欠陥または変色の如き表面異常を検出し得る。上記のいずれも、概略的には、表面幾何学形状のみの情報からは可能でない。
【０００４】
国際特許出願公開公報WO2010/145669号は、色を記録する可能性に言及している。特に、典型的には青色、緑色及び赤色である異なる色での照明に対して各々が取り込まれた数個の順次的な画像が組み合わされて、合成カラー画像を形成している。故に、この手法は、光源の色を変化させるカラー・フィルタの如き手段を必要とする。更に、手持ち用途において、そのスキャナは、照明シーケンスの間において走査対象物に対して移動することから、合成カラー画像の品質が低下される。
【０００５】
米国特許第7,698,068号及び米国特許第8,102,538号(カデント社)は、一つ以上の画像センサにより幾何学形状データ及びテクスチャ・データの両方を記録する口腔内スキャナを記述している。しかし、色及び幾何学形状の記録の間には僅かな遅延が在る。米国特許第7,698,068号は合成画像を形成するために異なる色での順次的な照明を必要としているが、米国特許第8,102,538号は、第1群は幾何学形状の記録に対して使用され乍ら、可能性として、第2の照明源からの又は第2の画像センサにより記録される白色光に言及している。
【０００６】
国際特許出願公開公報WO2012/083967号は、２つの別体的なカメラにより幾何学形状データ及びテクスチャ・データを記録するスキャナを開示している。第1カメラは、複数の画像に基づく焦点走査を提供すべく比較的に浅い被写界深度を有するが、第2カメラは、単一画像からカラー・テクスチャ情報を提供すべく比較的に大きい被写界深度を有する。
【０００７】
先行技術(例えば、キーエンス[Keyence]VK9700；特開2004-029373号も参照)からは、色記録用の走査式共焦点顕微鏡も知られている。２Ｄテクスチャを記録するためにカラー画像センサと共に白色光照明システムが使用される一方、レーザ光は、表面上で走査すなわち移動されてフォトマルチプライヤにより記録されるドットを形成し、各々がドットの各位置に対する多くの深度測定から幾何学形状データを提供している。移動ドットの原理は、測定される対象物が測定の間において上記顕微鏡に対して移動しないことを要することから、手持ち用途には適していない。
【発明の概要】
【発明が解決しようとする課題】
【０００８】
本出願の一つの態様は、表面幾何学形状及び表面色が同一の捕捉済み２Ｄ画像から導出されるという、対象物の表面幾何学形状及び表面色を記録するスキャナ・システム及び方法を提供するに在る。
【０００９】
本出願の一つの態様は、全ての２Ｄ画像が同一のカラー画像センサを用いて捕捉されるという、対象物の表面幾何学形状及び表面色を記録するスキャナ・システムを提供するに在る。
【００１０】
本出願の一つの態様は、対象物の色及び幾何学形状を表す該対象物のデジタル３Ｄ表現物を生成する上で、記録された表面幾何学形状に関するデータと記録された表面色に関するデータとの整列が必要とされない様に、表面幾何学形状と表面色とに関する情報が同時的に獲得されるという、対象物の表面幾何学形状及び表面色を記録するスキャナ・システム及び方法を提供するに在る。
【課題を解決するための手段】
【００１１】
対象物の表面幾何学形状及び表面色を記録するスキャナ・システムであって、
上記対象物の照明のための多色プローブ光を提供すべく構成された多色光源と、
上記対象物から受信された光の一つ以上の２Ｄ画像を捕捉する画像センサ・ピクセルのアレイを備えるカラー画像センサと、
少なくとも部分的に、上記カラー画像センサにより記録された一つの２Ｄ画像から、上記画像センサ・ピクセルの一つのブロックに対する表面幾何学形状情報及び表面色情報の両方を導出すべく構成されたデータ処理システムと、
を備える、スキャナ・システムが開示される。
【００１２】
対象物の表面幾何学形状及び表面色を記録する方法であって、
多色光源と、画像センサ・ピクセルのアレイを備えるカラー画像センサとを備えるスキャナ・システムを獲得する段階と、
上記多色光源からの多色プローブ光により上記対象物の表面を照らす段階と、
上記カラー画像センサを用いて上記対象物の一連の２Ｄ画像を捕捉する段階と、
少なくとも部分的に、捕捉された一つの２Ｄ画像から、画像センサ・ピクセルの一つのブロックに対する表面幾何学形状情報及び表面色情報の両方を導出する段階と、
を有する、方法が開示される。
【００１３】
本出願に関し、「表面色」という表現は、対象物表面の見かけ上の色を指し得ることから、歯の如き半透明もしくは半透光性の対象物に対する如き幾つかの場合、表面色は、対象物表面からの光、及び／または、対象物表面の直下の物質の如き、対象物表面の下方の物質からの光により引き起こされ得る。
【００１４】
本出願に関し、「少なくとも部分的に一つの２Ｄ画像から導出された」という表現は、与えられたブロックの画像センサ・ピクセルに対する表面幾何学形状情報が少なくとも部分的に、一つの２Ｄ画像から導出され、且つ、対応する表面色情報が少なくとも部分的に、同一の２Ｄ画像から導出される、という状況を指している。該表現はまた、与えられたブロックの画像センサ・ピクセルに対する表面幾何学形状情報が少なくとも部分的に、一連の捕捉された２Ｄ画像の内の複数の２Ｄ画像から導出され、且つ、対応する表面色情報が少なくとも部分的に、その一連の捕捉された２Ｄ画像の内の同一の複数の２Ｄ画像から導出される、という場合も包含している。
【００１５】
上記画像センサ・ピクセルのブロックに対する表面幾何学形状情報及び表面色情報の両方を、少なくとも部分的に一つの２Ｄ画像から導出することの利点は、一つのみの画像センサを有するスキャナ・システムが実現され得る、ということである。表面幾何学形状情報及び表面色情報が少なくとも部分的に一つの２Ｄ画像から導出されることは利点である、と言うのも、これにより必然的に、２つの形式の情報が同時的に獲得されることが実現されるからである。故に、一つの画像センサが幾何学形状の記録に対し、且つ、他の画像センサが色の記録に対して使用されるという場合であり得る、２つのカラー画像センサの動作の厳密なタイミングに対する要件が無い。同様に、表面幾何学形状情報が導出される２Ｄ画像の捕捉のタイミングと、表面色情報が導出される２Ｄ画像の捕捉のタイミングとの間の相当な差を考慮する入念な計算に対する必要性が無い。
【００１６】
本出願は、現状技術との比較において、単一の画像センサ及び単一の多色光源のみが必要とされ、且つ、対象物の少なくとも一部に対する表面色及び表面幾何学形状が同一の２Ｄ画像または同一の複数の２Ｄ画像から導出され得ることで、色及び表面幾何学形状の整列が本来的に完全であることも意味する、という相当の向上を開示している。本出願に係るスキャナ・システムにおいては、表面幾何学形状と表面色との獲得段階同士の間における対象物とスキャナ・システムとの相対運動を考慮または補償する必要がない。表面幾何学形状及び表面色は厳密に同時に獲得されることから、上記スキャナ・システムは、対象物表面に関する自身の空間的配置を自動的に維持し乍ら、表面幾何学形状及び表面色を獲得する。これにより、本出願のスキャナ・システムは、例えば、口腔内スキャナとして、または、移動する対象物を走査するために、手持ち用途に適したものとされる。
【００１７】
幾つかの実施例において、上記データ処理システムは、上記画像センサ・ピクセルのブロックに対する表面幾何学形状情報及び表面色情報を、一連の捕捉された２Ｄ画像における複数の２Ｄ画像からなどの如く、一連の２Ｄ画像から導出すべく構成される。すなわち、上記データ処理システムは、画像センサ・ピクセルのブロックに対する表面幾何学形状情報を導出するために、且つ、上記表面幾何学形状情報が導出された２Ｄ画像の内の少なくとも一つの２Ｄ画像から表面色情報も導出するために、一連の捕捉された２Ｄ画像における複数の２Ｄ画像を解析し得る。
【００１８】
幾つかの実施例において、上記データ処理システムは、一連の捕捉された２Ｄ画像の内の複数の２Ｄ画像から表面色情報を導出すべく、且つ、上記表面色情報が導出された２Ｄ画像の内の少なくとも一つの２Ｄ画像から表面幾何学形状情報を導出すべく構成される。
【００１９】
幾つかの実施例において、上記データ処理システムは、一連の捕捉された２Ｄ画像の内の複数の２Ｄ画像から表面幾何学形状情報を導出すべく、且つ、上記表面幾何学形状情報が導出された２Ｄ画像の内の少なくとも一つの２Ｄ画像から表面色情報を導出すべく構成される。
【００２０】
幾つかの実施例において、表面色情報が導出される一群の２Ｄ画像は、表面幾何学形状情報が導出される一群の２Ｄ画像と同一である。
【００２１】
幾つかの実施例において、上記データ処理システムは、複数のブロックの画像センサ・ピクセルから導出された表面幾何学形状情報及び表面色情報に基づき、対象物表面の一部分の部分的走査結果を生成すべく構成される。上記部分的走査結果は、少なくとも、上記対象物の上記一部分の幾何学形状を表現し、且つ、典型的には、一つの積層群(stack)の捕捉済み２Ｄ画像から、一つの部分的走査結果が導出される。
【００２２】
幾つかの実施例においては、捕捉された一連の画像の全ての２Ｄ画像が解析され、カラー画像センサ上の画像センサ・ピクセルの各ブロックに対する表面幾何学形状情報が導出される。
【００２３】
所定のブロックの画像センサ・ピクセルに対し、上記積層群における捕捉済みの各２Ｄ画像の対応部分が解析されることで、そのブロックに対する表面幾何学形状情報及び表面色情報が導出され得る。
【００２４】
幾つかの実施例において、上記表面幾何学形状情報は、その特定のブロックの画像センサ・ピクセルに関し、スキャナ・システムの座標系に対して対象物表面が配置された箇所に関している。
【００２５】
本出願の上記スキャナ・システム及び方法の一つの利点は、(一つの視点から視認された)対象物の幾何学形状及び色の両方を表現する部分的走査結果を生成すべく使用される各情報が、同時に獲得される、ということである。
【００２６】
各部分的走査結果は、それらが上記表面の上記一部分を協働して包含する如く、対象物の所定数の異なる概観(view)に対して生成され得る。
【００２７】
幾つかの実施例において、上記データ処理システムは、所定数の部分的走査結果を組み合わせて上記対象物のデジタル３Ｄ表現物を生成すべく構成される。そのときに、上記対象物の上記デジタル３Ｄ表現物は好適には、記録された該対象物の幾何学形状及び色の両方を表現する。
【００２８】
上記対象物の上記デジタル３Ｄ表現物は、データ・ファイルの形態であり得る。上記対象物が患者の一群の歯であるとき、この一群の歯のデジタル３Ｄ表現物は、例えば、患者の一群の歯の物理的模型のCAD/CAM製造に対して使用され得る。
【００２９】
上記表面幾何学形状及び表面色は、いずれも、上記カラー画像センサにより記録された光から決定される。
【００３０】
幾つかの実施例において、上記対象物から受信された光は、多色光源に由来し、すなわち、それは、対象物の表面から反射もしくは散乱されたプローブ光である。
【００３１】
幾つかの実施例において、上記対象物から受信された光は、上記多色光源からのプローブ光により励起された蛍光、すなわち、対象物表面における蛍光物質から発せられた蛍光を備える。
【００３２】
幾つかの実施例において、上記多色光源は対象物の幾何学形状及び色を獲得する光を提供する一方、蛍光の励起に対しては第2の光源が使用される。
【００３３】
上記スキャナ・システムは好適には、上記多色光源により発せられた光を、走査されるべき対象物に向けて案内すべく、且つ、上記対象物の複数の２Ｄ画像が上記カラー画像センサにより捕捉され得る如く、上記対象物から受信された光を上記カラー画像センサまで案内すべく構成された光学システムを備える。
【００３４】
幾つかの実施例において、上記スキャナ・システムは、上記多色光源からのプローブ光を対象物に向けて送出する複数のレンズの配置物の如き第1光学システムと、上記カラー画像センサにおいて上記対象物から受信された光を結像する第2光学システムとを備える。
【００３５】
幾つかの実施例においては、単一の光学システムが、上記プローブ光を対象物上へと結像し、且つ、上記対象物を、または、該対象物の少なくとも一部を、好適には同一の光軸に沿い、但し、該光軸に沿う逆方向において、上記カラー画像センサ上へと結像する。上記スキャナは、上記光路内に配置された少なくとも一つのビームスプリッタを備え得、その場合に上記ビームスプリッタは、それが、上記多色光源からのプローブ光を対象物に向けて導向する一方、対象物から受信される光を上記カラー画像センサに向けて導向する如く配置される。
【００３６】
三角測量及び焦点走査の如き、幾つかの走査原理が適切である。
【００３７】
幾つかの実施例において、上記スキャナ・システムは、各々の一連の捕捉された２Ｄ画像が２Ｄ画像の積層群を形成する如く、上記スキャナ・システムの光軸に沿い焦点面を平行移動させ、且つ、異なる焦点面位置において２Ｄ画像を捕捉することにより動作する焦点スキャナ・システムである。上記焦点面位置は好適には、上記スキャナ・システムの光軸に沿う所定数の焦点面位置にて捕捉された各２Ｄ画像が、上記対象物の所定の概観に対し、すなわち、上記対象物に対する上記スキャナ・システムの所定の配置に対し、上記２Ｄ画像の積層群を形成する如く、上記光軸に沿ってシフトされる。上記対象物に対する上記スキャナ・システムの配置を変更した後、その概観に対し、新たな積層群の２Ｄ画像が捕捉され得る。上記焦点面位置は、例えば、移動焦点レンズなどの少なくとも一つの焦点素子により変更され得る。
【００３８】
幾つかの焦点スキャナの実施例において、上記スキャナ・システムは、上記プローブ光中に空間的パターンを取入れるべく構成されたパターン生成素子を備える。
【００３９】
幾つかの実施例において、上記パターン生成素子は、上記スキャナ・システムにより上記対象物上へと投射されるプローブ光が、暗い区画と、上記多色光源の波長分布に従う波長分布を有する光を備える区画とから成ることを実現すべく構成される。
【００４０】
幾つかの実施例において、上記多色光源は、白色光源の如き広帯域の光源を備える。
【００４１】
幾つかの実施例において、上記カラー画像センサのピクセル、及び、上記パターン生成素子は、各ピクセルが、上記プローブ光に取入れられた空間的パターンの単一の明るいまたは暗い領域に対応することを実現すべく構成される。
【００４２】
焦点スキャナ・システムに対し、所定のブロックの画像センサ・ピクセルに対する上記表面幾何学形状情報は、上記スキャナ・システムからのいずれの距離にて、そのブロックの画像センサ・ピクセルに対する焦点内に対象物表面が在るかを特定することにより導出される。
【００４３】
幾つかの実施例において、上記表面幾何学形状情報及び上記表面色情報を導出する段階は、捕捉された２Ｄ画像の積層群における幾つかの２Ｄ画像の如き、幾つかの２Ｄ画像に対し、上記画像センサ・ピクセルのブロックにより捕捉された２Ｄ画像の部分と、加重関数との間の相関測度を算出する段階を有する。此処で、上記加重関数は好適には、上記空間的パターンの構成の情報に基づいて決定される。上記相関測度は、上記積層群の各２Ｄ画像に対して算出され得る。
【００４４】
上記スキャナ・システムは、各焦点面位置において、少なくとも一つの画像ピクセルと、上記空間的パターンの構成の情報に基づき決定される加重関数との間の相関測度を評価する手段を備え得る。
【００４５】
幾つかの実施例において、画像センサ・ピクセルのブロックに対して上記表面幾何学形状情報及び上記表面色情報を導出する段階は、上記光軸に沿い、対応する相関測度が最大値を有する位置を特定する段階を有する。上記光軸に沿い、上記対応する相関測度が最大値を有する位置は、一つの２Ｄ画像が捕捉された位置に一致することもあり得るが、それは、上記積層群の２Ｄ画像の内で隣接する２つの２Ｄ画像の中間に在る可能性が更に高い。
【００４６】
そのときに表面幾何学形状情報の決定段階は、上記パターンにより提供されて空間的に構造化された光信号の相関測度であって、焦点面の全ての箇所に対する(基準と称される)該パターン自体の変動に依るという相関測度を算出する段階と、この積層群の２Ｄ画像の極値の箇所を見出す段階とに関連し得る。幾つかの実施例において、上記パターンは静的である。斯かる静的パターンは、例えば、ガラス上クロム・パターンとして実現され得る。
【００４７】
上記相関測度を離散的な測定値の集合により数学的に定義する一つの手法は、n>1個の要素がセンサ信号を表すという信号ベクトルI＝(I1、…、In)、及び、基準重みの基準ベクトルf＝(f1、…、fn)から算出されるドット積としてである。そのとき相関測度Aは、次式により与えられる：
【００４８】
【数１】
2019066494.tif 000003
【００４９】
信号ベクトルにおける要素に関する添え字は、典型的にはピクセルのブロックにおける異なるピクセルにて記録されたセンサ信号を表す。基準ベクトルfは較正段階において獲得され得る。
【００５０】
上記スキャナにおいて使用される光学システムの知見を用いることにより、上記相関測度の極値の箇所、すなわち、焦点面の箇所を、ピクセル・ブロック的に深度データ情報へと変換することが可能である。故に、組み合わされた全てのピクセル・ブロックは、深度データの配列を提供する。換言すると、深度は、光学的な設計態様から知られ、及び／または、較正から見出される、光路に沿ったものであり、且つ、上記画像センサ上のピクセルの各ブロックは、光路の終点を表す。故に、１束の経路に対し、光路に沿う深度は、スキャナの視界内における表面幾何学形状、すなわち、現在の概観に対する部分的走査結果をもたらす。
【００５１】
最大値の箇所の更に高信頼性で正確な決定を実現すべく、一連の相関測度値を平滑化して補間することが有用であり得る。
【００５２】
幾つかの実施例において、部分的走査結果を生成する段階は、画像センサ・ピクセルの各ブロックに対し、光軸に沿う相関測度の変動を記述する相関測度関数を決定する段階と、上記光軸に沿い、そのブロックに対し、光軸に沿い相関測度関数がその最大値を有する位置を特定する段階とを備える。
【００５３】
幾つかの実施例において、最大の相関測度値は、画像センサ・ピクセルのブロックに対して算出された最高の相関測度値、及び／または、画像センサ・ピクセルのブロックに対する上記相関測度関数の最高の最大値である。
【００５４】
例えば、記録された最大値の両側における幾つかの画像にわたりピクセル・ブロックに対するAの各値に対して多項式が適合され得ると共に、推定された最大値の箇所は、適合された多項式の最大値であって、２つの画像の中間であり得るという最大値から見出され得る。上記推定された最大値は引き続き、現在の概観から表面幾何学形状を導出するとき、すなわち、その概観に対する部分的走査結果を導出するときに、深度データ情報として使用される。
【００５５】
幾つかの実施例において、上記データ処理システムは、上記一連の２Ｄ画像の内で、上記相関測度が画像センサ・ピクセルの対応ブロックに対して最大値を有するという２Ｄ画像の表面色情報に基づき、生成された部分的走査結果上の点に対する色を決定すべく構成される。上記色は、例えば、上記画像センサ・ピクセルのブロックにおける各ピクセルに対するRGB値として読み取られ得る。
【００５６】
幾つかの実施例において、上記データ処理システムは、上記一連の２Ｄ画像の内で、上記相関測度が画像センサ・ピクセルの対応ブロックに対して最大値を有するという２Ｄ画像の表面色情報と、上記一連の捕捉された２Ｄ画像からの隣接２Ｄ画像の如き少なくとも一つの付加的な２Ｄ画像とに基づき、生成された部分的走査結果上の点に対する部分的走査結果の色を決定すべく構成される。上記表面色情報は依然として、上記表面幾何学形状情報が導出された複数の２Ｄ画像の内の少なくとも一つの２Ｄ画像から導出される。
【００５７】
幾つかの実施例において、上記データ処理システムは、上記部分的走査結果の色を決定するときに、一連の隣接する２Ｄ画像の表面色情報の補間の如き、一連の少なくとも２つの２Ｄ画像の表面色情報を補間すべく構成される。
【００５８】
幾つかの実施例において、上記データ処理システムは、上記部分的走査結果の所定数の点に対して平滑化された色を算出すべく構成され、上記算出段階は、上記部分的走査結果上の周囲の複数の点の色の加重平均の如き、異なる複数の点の部分的走査結果の色を平均化する段階を有する。
【００５９】
画像センサ・ピクセルのブロックに対する表面色情報は、少なくとも部分的に、表面幾何学形状情報が導出されたのと同一の画像から導出される。Aの最大値の箇所が一つの２Ｄ画像により表される場合、色もまた、同一の画像から導出される。Aの最大値の箇所が２つの画像間であると補間により見出された場合、色を導出するためには、それらの２つの画像の少なくとも一方が、または、色に対する補間を用いて両方の画像も、使用されるべきである。相関測度の最大値の箇所の決定において２つより多い画像からのカラー・データを平均すること、または、表面幾何学形状を導出するために使用された複数の画像の下位集合または上位集合からの色を平均することも可能である。いずれにせよ、走査された対象物の少なくとも一部に対して表面色及び表面幾何学形状の両方を導出するためには、幾つかの画像センサ・ピクセルの読取値が使用される。
【００６０】
典型的には、３つのカラー・フィルタが在ることから、全体的な色は、赤色、緑色及び青色、または、シアン、マゼンタ及びイエローの如き３つの寄与分で構成される。カラー・フィルタは典型的に所定範囲の波長の通過を許容するものであり、且つ、典型的に複数のフィルタ間には、例えば、一定の緑色光が、赤色フィルタを備えたピクセルにおいて測定された強度に寄与する如く、クロストークが在ることを銘記されたい。
【００６１】
カラー・フィルタ・アレイを備えた画像センサに対し、ピクセル・ブロック内のカラー成分cjは次式として獲得され得る：
【００６２】
【数２】
2019066494.tif 000004
【００６３】
式中、gj,i＝ピクセルiがカラーcjに対してフィルタを有するなら１であり、その他の場合には０である。Bayerパターンにおけるのと同様であるRGBカラー・フィルタ・アレイに対し、jは赤色、緑色または青色の内の一つである。典型的には、変化するフィルタ効率、照明源効率、及び、フィルタ・パターンにおける各カラー成分の異なる割合に対する補償として、自然なカラー・データを獲得するためには、個々のカラー成分の更なる加重、すなわち色較正が必要とされ得る。上記較正は、視界内の焦点面の箇所及び／または位置にも依存し得る、と言うのも、光源構成要素カラーの混合は、それらの要因により変動し得るからである。
【００６４】
幾つかの実施例において、表面色情報はピクセル・ブロック内の全てのピクセルに対して獲得される。カラー・フィルタ・アレイを備えた、または、回折手段の如く色を分離する他の手段を備えたカラー画像センサにおいては、特定のピクセルにより測定された色に依存し、その色に対する強度値が獲得される。換言すると、この場合、一つの特定のピクセルは、一つの色のみに対するカラー値を有する。最近において開発されたカラー画像センサは、物質の異なる深度において、同一ピクセルにおいて幾つかの色の測定を許容することから、その場合、一つの特定のピクセルは、幾つかの色に対する強度値をもたらし得る。要約すると、表面幾何学形状情報の分解能よりも本来的に高いという表面色データの分解能を獲得することが可能である。
【００６５】
対象物の生成されたデジタル３Ｄ表現物に対する表面幾何学形状の分解能よりも、導出された色の分解能が高いという実施例においては、少なくとも概略的に焦点が合ったときにパターンが視認可能であり、これは好適には、色が導出される場合である。画像は、パターンを視覚的に除去すべく、但し、分解能の喪失を以て、フィルタリングされ得る。実際、ユーザに対して上記パターンを視認し得ることが有用であり得る。例えば、口腔内走査においては、調製部の限界ライン、縁部または端縁の位置を検出することが重要であり得る。この端縁上に重畳された上記パターンの画像は、略々直角に視認される側では更に鮮鋭であり、且つ、鋭角にて視認される側では更に不鮮明である。故に、この例において典型的には歯科医または歯科技工士であるユーザは、鮮鋭さの差を用い、限界ラインの位置を、表面幾何学形状のみの検証から可能であり得るよりも正確に突き止め得る。
【００６６】
カラー画像センサ上で相関測度の良好な信号／ノイズ比を獲得するためには、対象物上で焦点が合ったパターン画像の大きな空間的コントラストが望ましい。更に良好な空間的コントラストは、カラー画像センサにおいて、対象物からの鏡面的な表面反射の選好的な画像化により達成され得る。故に、幾つかの実施例は、鏡面的に反射された光の選好的／選択的な画像化のための手段を備える。このことは、スキャナが、例えば、少なくとも一つの偏光ビームスプリッタによりプローブ光を偏光化させる手段を更に備えるならば、実現され得る。
【００６７】
幾つかの実施例において、上記偏光化用の光学機器は、上記多色光源のスペクトルの内で、表面幾何学形状を記録するために使用される部分の円偏光の保持を最適化すべく、被覆される。
【００６８】
上記スキャナ・システムは更に、プローブ光の、及び／または、対象物から受信された光の偏光状態を変化させる手段を備え得る。このことは、好適には光路内に配置された遅延プレートにより実現され得る。幾つかの実施例において、上記遅延プレートは、１／４波長遅延プレートである。
【００６９】
特に、走査される対象物が、例えば患者の一群の歯であるという口腔内用途に対し、上記スキャナは、プローブ光を導向するための、及び／または、対象物を画像化するための手段を備えた長寸先端を有し得る。このことは、少なくとも一つの折返し要素により実現され得る。該折返し要素は、ミラーまたはプリズムの如き、光反射要素であり得る。上記プローブ光は上記スキャナ・システムから、上記折返し要素により少なくとも部分的に画成された光軸に沿って出射する。
【００７０】
焦点走査手法の更に詳細な説明に対しては、国際特許出願公開公報WO2010/145669号を参照されたい。
【００７１】
幾つかの実施例において、上記データ処理システムは、上記対象物の生成されたデジタル３Ｄ表現物が該対象物の幾何学形状及びカラーの変化特性の両方を表現する如く、上記デジタル３Ｄ表現物の少なくとも一つの点の色を決定すべく構成される。色は、対象物の走査された部分の色変化特性がデジタル３Ｄ表現物により表現される如く、生成されたデジタル３Ｄ表現物の幾つかの点に対して決定され得る。
【００７２】
幾つかの実施例において、上記対象物カラーを決定する段階は、対象物表面のその点において重なり合う複数の部分的走査結果における対応点に対して導出されたカラー値の加重平均値を算出する段階を有する。この加重平均値は次に、対象物のデジタル３Ｄ表現物における点の色として使用され得る。
【００７３】
幾つかの実施例において、上記データ処理システムは、捕捉された２Ｄ画像において飽和ピクセルを検出すべく、且つ、導出された表面色情報または部分的走査結果の色においてピクセル飽和により引き起こされたエラーを緩和もしくは除去すべく構成される。
【００７４】
幾つかの実施例において、上記飽和ピクセルにより引き起こされたエラーは、平滑化された部分的走査結果の色を算出する上で、飽和ピクセルの表面色情報に対して低い重みを割当てることにより、且つ／又は、上記飽和ピクセルに基づいて算出された部分的走査結果の色に対して低い重みを割当てることにより、緩和もしくは除去される。
【００７５】
幾つかの実施例において、上記データ処理システムは、上記対象物の捕捉された２Ｄ画像及び／または生成された部分的走査結果の区画の導出された表面色情報を、歯及び口腔組織に対する所定の色範囲と比較すべく、且つ、その色が、２つの所定の色範囲の一方内ではないという区画に対して導出された表面色情報または部分的走査結果の色の赤色成分を抑制すべく構成される。
【００７６】
此処で開示された上記スキャナ・システムは、例えば、マルチダイLEDなどの白色光源などの多色光源を備える。
【００７７】
対象物表面から戻されたプローブ光、または、対象物の蛍光部分を励起することによりプローブ光により生成された蛍光の如き、走査された対象物から受信された光は、上記カラー画像センサにより記録される。幾つかの実施例において、上記カラー画像センサは、該カラー画像センサにおける全てのピクセルがカラー特異的フィルタである如く、カラー・フィルタ・アレイを備える。各カラー・フィルタは好適には、例えば、各カラー・フィルタがBayerカラー・フィルタ・パターンに従って配置されるという、規則的パターンで配置される。故に、この様に獲得された画像データは、ピクセルの各ブロックに対して表面幾何学形状及び表面色の両方を導出すべく使用される。相関測度を利用する焦点スキャナに対し、表面幾何学形状は、上述された如く相関測度の極値から見出され得る。
【００７８】
幾つかの実施例において、表面幾何学形状は、上記多色光源により提供されたプローブ光のスペクトルの第1部分における光から導出される。
【００７９】
好適には、各カラー・フィルタは、好適には、各ピクセルが特定の色のみに対するカラー・フィルタを有する如く、画像センサの各ピクセルと整列される。
【００８０】
幾つかの実施例において、上記カラー・フィルタ・アレイは、該アレイのピクセルの割合であって、上記スペクトルの第1部分に合致するカラー・フィルタを備えたピクセルの割合が50％超である如きである。
【００８１】
幾つかの実施例において、上記表面幾何学形状情報は、上記多色光源により提供されるスペクトルの選択波長範囲における光から導出される。故に、他の波長範囲における光は、表面幾何学形状情報を導出するためには使用されない。このことは、上記スキャナ・システムの光学システムにおける各光学素子の波長分散が、対象物の走査に影響しない、という利点を提供する。
【００８２】
一つまたは２つの形式のカラー・フィルタを備えるピクセルからのみ、表面幾何学形状を算出することが好適であり得る。単一の色は、色収差補正用の光学機器を必要とせず、故に、構築することが更に容易で更に安価なスキャナを提供する。更に、折返し要素は概略的に、全ての色に対して等しく良好に偏光状態を保持し得ない。表面幾何学形状を算出するために一定の単一もしくは複数の色のみが使用されるとき、基準ベクトルfは、他の単一もしくは複数の色に対するフィルタを備えるピクセルに対してはゼロを含んでいる。従って、全体的な信号強度は概略的に低減されるが、十分に大きなブロックのピクセルに対し、それは概略的に依然として十分である。好適には、ピクセルのカラー・フィルタは、一つの色から他の単一もしくは複数の色に対するクロストークが殆ど無い様に適合化される。ピクセルの下位集合のみから幾何学形状を算出する実施例においてさえも、色は好適には、依然として全てのピクセルから算出されることを銘記されたい。
【００８３】
幾つかの実施例において、上記カラー画像センサは、各カラー・フィルタが夫々、既知である波長範囲W1、W2及びW3の光が当該カラー・フィルタを通り伝搬することを許容するという少なくとも３つの型のカラー・フィルタを備えるカラー・フィルタ・アレイを備える。
【００８４】
幾つかの実施例において、上記カラー・フィルタ・アレイは、該アレイのピクセルの割合であって、上記スペクトルの選択された波長範囲に合致するカラー・フィルタを備えたというピクセルの割合が50％超であり、斯かる割合は32／36、60／64または96／100に等しい如きである。
【００８５】
幾つかの実施例において、上記選択された波長範囲は上記W2波長範囲に合致する。
【００８６】
幾つかの実施例において、上記カラー・フィルタ・アレイは、6×6カラー・フィルタの複数のセルを備え、各セルの位置(2,2)及び(5,5)におけるカラー・フィルタは上記W1型であり、位置(2,5)及び(5,2)におけるカラー・フィルタは上記W3型である。此処で、W1型のフィルタは、既知である波長範囲W1の光が当該カラー・フィルタを通り伝搬することを許容するカラー・フィルタであり、W2及びW3型のフィルタに対しても同様である。幾つかの実施例において、上記6×6セルにおける残りの32個のカラー・フィルタは、上記W2型である。
【００８７】
RGB表色系において、W1は赤色光、W2は緑色光、及び、W3は青色光に対応し得る。
【００８８】
幾つかの実施例において、上記スキャナは、表面幾何学形状よりも高い分解能を以て表面色を導出すべく構成される。
【００８９】
幾つかの実施例において、上記更に高い表面色分解能は、ピクセル・ブロックに対するカラー値が分解されることで、表面幾何学形状に存在するよりも見かけ上は高い分解能のカラー画像を達成し得る、という分解(demosaicing)により達成される。上記分解は、ピクセル・ブロックまたは個々のピクセルを操作し得る。
【００９０】
マルチダイLEDが使用され、または、物理的もしくは光学的に分離された複数の発光体を備える別の照明源が使用される場合、スキャナにおいてはケーラー(Koehler)型の照明を企図すること、すなわち、均一な照明と、視界全体に対する良好な色混合とを達成するために、照明源が対物面にて焦点移動されることが好適である。色混合が完全ででは無く且つ焦点面の箇所で変化する場合には、スキャナの色較正が有用である。
【００９１】
幾つかの実施例において、上記パターン生成素子は、上記空間的パターンが、市松模様パターンで配置された交互配置的な暗い領域及び明るい領域を備えることを実現すべく構成される。そのとき、上記スキャナ・システムにより提供されるプローブ光は、暗い区画と、上記多色光源と同一の波長分布を有する光を備える区画とから成る。
【００９２】
対象物の表面の幾何学形状及び色の表現物の両方を表現するデジタル３Ｄ表現物、すなわち、対象物表面の上記部分の色付きのデジタル３Ｄ表現物を獲得するためには、典型的に、幾つかの部分的走査結果、すなわち、対象物の部分的表現物が組み合わされねばならず、その場合、各部分的走査結果は、対象物の一つの概観を呈している。与えられた相対位置からの概観を表現する部分的走査結果は、好適には、その相対位置から視認された対象物表面の幾何学形状及び色を記録する。
【００９３】
焦点スキャナに対し、一つの概観とは、単一もしくは複数の焦点合わせ素子の一回の行程に対応しており、すなわち、焦点スキャナに対し、各部分的走査結果は、その極限位置同士の間における焦点面位置の行程の間において記録された２Ｄ画像の積層群から導出された表面の幾何学形状及び色である。
【００９４】
種々の概観に対して見出された表面幾何学形状は、文献において広く知られる統合して位置合わせするためのアルゴリズムにより、または、例えば、スキャナがエンコーダを備えた軸心上に取付けられたときにおける既知の視認位置及び配向から、組み合わされ得る。色は、テクスチャ・ウィービング(texture weaving)の如き方法により、または、単純に、表面の同一箇所の複数の概観における対応する各カラー成分を平均化することにより、補間かつ平均化され得る。此処で、異なる入射角及び反射角に起因する見かけの色の差を考慮することが有用であり得、このことは、表面幾何学形状も既知なので可能である。テクスチャ・ウィービングは、例えばCallieri M, Cignoni P, Scopigno R, "多重範囲のRGBマップからテクスチャ処理されたメッシュを再構成する方法(Reconstructing textured meshes from multiple range rgb maps)"、VMV 2002, Erlangen, Nov 20-22, 2002により記述されている。
【００９５】
幾つかの実施例において、上記スキャナ及び／または上記スキャナ・システムは、獲得された表面色及び表面幾何学形状に基づき、対象物表面の部分的走査結果を生成すべく構成される。
【００９６】
幾つかの実施例において、上記スキャナ及び／または上記スキャナ・システムは、異なる相対位置から獲得された対象物表面の部分的走査結果を組み合わせて、上記対象物の少なくとも一部の表面の幾何学形状及び色を表現するデジタル３Ｄ表現物を生成すべく構成される。
【００９７】
幾つかの実施例において、対象物の各部分的走査結果を組み合わせて、表面の幾何学形状及び色を表現するデジタル３Ｄ表現物を獲得する段階は、各表面点における色を、その表面点にて重なり合う全ての部分的走査結果における対応点の加重平均値として算出する段階を有する。合計における各部分的走査結果の重みは、飽和ピクセルの値の存在、または、部分的走査結果が記録されたときにおけるスキャナに関する対象物表面の配向の如き、幾つかの要因により決定され得る。
【００９８】
斯かる加重平均値は、対象物に対する幾つかのスキャナの位置及び配向が、他の位置及び配向よりも更に良好な実際の色の評価を与える、という場合に有用である。もし、対象物表面の照明が不均一であるなら、このこともまた、一定程度まで、最適に照らされた部分を更に大きく加重することにより補償され得る。
【００９９】
幾つかの実施例において、上記スキャナ・システムのデータ処理システムは、対象物の表面幾何学形状、表面色読取値、または、導出された部分的走査結果もしくはデジタル３Ｄ表現物の後処理を実施すべく構成された画像プロセッサを備える。上記スキャナ・システムは、例えば、上記画像プロセッサにより実行されるコンピュータ実行型アルゴリズムを用いて、各部分的走査結果の組み合わせを実施すべく構成され得る。
【０１００】
上記スキャナ・システムは、例えば、表面幾何学形状、表面色、部分的走査結果及び／またはデジタル３Ｄ表現物の後処理の一部として、上記データ処理システムにより実行されるコンピュータ実行型アルゴリズムを用いて、各部分的走査結果の組み合わせを実施すべく構成され得、すなわち、上記後処理は、各表面点における色を、その表面点において重なり合う全ての部分的走査結果における対応点の加重平均値として算出する段階を有する。
【０１０１】
飽和ピクセル値は好適には、低い重みを有することで、表面色の記録に関する強調の効果を低減すべきである。表面の所定部分に対する色は、好適には、基本的に、ピクセル値が飽和した場合ではなく、色が正確に決定され得るという２Ｄ画像から決定すべきである。
【０１０２】
幾つかの実施例において、上記スキャナまたは上記スキャナ・システムは、捕捉された２Ｄ画像において飽和ピクセルを検出すべく、且つ、獲得された色においてピクセル飽和により引き起こされたエラーを緩和もしくは除去すべく構成される。飽和ピクセルにより引き起こされたエラーは、加重平均値において飽和ピクセルに対して低い重みを割当てることにより緩和もしくは除去され得る。
【０１０３】
鏡面反射された光は、対象物表面の色ではなく、光源の色を有する。もし対象物が純粋な白色反射器でなければ、鏡面反射はそのとき、ピクセル色が光源色に忠実に合致する領域として特定され得る。故に、表面色を獲得するときには、斯かる鏡面反射を補償するために、カラー値が多色光源の色に忠実に合致するというピクセルまたはピクセル群に対しては低い重みを割当てることが有用である。
【０１０４】
鏡面反射はまた、患者の一群の歯を口腔内的に走査するときにも問題であり得る、と言うのも、歯は、完全に白色であることは希だからである。故に、カラー画像センサからの読取値が、対象物の表面は純粋な白色反射器であることを示すというピクセルに対しては、このピクセル群により記録された光は、口腔内の歯もしくは軟部組織からの鏡面反射により引き起こされたことを想定し、故に、これらのピクセルに対しては低い重みを割当てることで鏡面反射を補償することが有用であり得る。
【０１０５】
幾つかの実施例において、対象物表面からの鏡面反射に対する補償は、例えば、純粋な白色反射器の形態の較正物体が走査される、というスキャナの較正から導出された情報に基づく。そのとき、カラー画像センサの読取値は、多色光源のスペクトルと、例えばスキャナの光学システムにおけるミラーの波長依存反射率により引き起こされる該光学システムの波長依存性とに依存する。もし、光学システムが、多色光源の全ての波長を等しく良好に案内するなら、カラー画像センサは、純粋な白色反射器が走査されたとき、多色光源の(スペクトルとも称される)色を記録する。
【０１０６】
幾つかの実施例において、上記表面からの鏡面反射に対する補償は、スキャナの光学システムの波長依存性と、多色光源のスペクトルと、カラー画像センサの波長依存感度とに基づく計算から導出された情報に基づく。幾つかの実施例において、上記スキャナは、鏡面反射された光を光学的に抑制し、更に良好な色測定を達成する手段を備える。このことは、上記スキャナが、例えば、少なくとも一つの偏光ビームスプリッタによりプローブ光を偏光化する手段を更に備えるならば、実現され得る。
【０１０７】
口腔の内側を走査するときには、歯肉、口蓋、舌部、または、頬側組織の如き周囲組織のプローブ光照明により引き起こされる赤色の周囲光が在り得る。故に、幾つかの実施例において、上記スキャナ及び／またはスキャナ・システムは、記録された２Ｄ画像における赤色成分を抑制すべく構成される。
【０１０８】
幾つかの実施例において、上記スキャナ及び／またはスキャナ・システムは、対象物の捕捉された２Ｄ画像及び／または部分的走査結果の複数の区画の色を、歯及び口腔組織に対する所定の色範囲と夫々比較すべく、且つ、色が、上記２つの所定の色範囲のいずれにもない区画に対しては、記録された色の赤色成分を抑制すべく構成される。歯は、基本的に、例えば、RGB構成において赤色成分の強度と青色及び／または緑色成分との間の一つの割合によるなど、記録された画像の異なる複数の成分の強度間の一つの割合により白色であると仮定され得る一方、口腔組織は基本的に、各成分の強度間の別の割合により赤味がかっている。口腔の一領域に対して記録された色が、歯に対する所定割合及び組織に対する所定割合の両方と異なる割合を示したとき、この領域は、赤色周囲光により照らされた歯の領域であるとして特定され、且つ、記録された画像の赤色成分は、赤色信号の記録強度を低減することにより、または、画像における他の成分の記録強度を増大することにより、他の成分に対して抑制される。
【０１０９】
幾つかの実施例において、スキャナに対して直接的に向かう表面法線を備える点の色は、表面法線がスキャナに対して直接的には向かわないという点の色よりも、大きく加重される。このことは、スキャナに対して直接的に向かう表面法線を備えた点は、周囲光によってではなく、スキャナからの白色光により更なる高程度まで照らされる、という利点を有している。
【０１１０】
幾つかの実施例において、スキャナに対して直接的に向かう表面法線を備える点の色は、もし、鏡面反射が付随するならば、更に低く加重される。
【０１１１】
幾つかの実施例において、上記スキャナは、飽和ピクセル、及び／または、鏡面反射、及び／または、表面法線の配向の補償の如く、異なる効果を同時に補償すべく構成される。このことは、概略的に２Ｄ画像のピクセルまたはピクセル群の選択部に対する重みを上げることにより、且つ、上記選択のピクセルまたはピクセル群の一部分に対する重みを低減することにより、為され得る。
【０１１２】
幾つかの実施例において、上記方法は、上記対象物の上記部分の記録された２Ｄ画像、部分的走査結果、または、生成された３Ｄ表現物を処理する段階を有し、
上記処理段階は、
表面色を導出するときに、飽和ピクセルの重みを除外もしくは低減することにより、ピクセル飽和を補償する段階、及び／または、
表面色を導出するときに、そのカラー値が光源の色に忠実に合致するピクセルの重みを除外もしくは低減することにより、鏡面反射を補償する段階、及び／または、
２Ｄ画像の表面色情報を、所定の色範囲と比較し、且つ、これが所定の色範囲内でなければ、記録された色の赤色成分を抑制することにより、赤色周囲光を補償する段階、
を有する。
【０１１３】
開示されたスキャナ・システムを用いて、対象物の生成されたデジタル３Ｄ表現物上にカラー・テクスチャを表示する方法が開示される。例えば、コンピュータ画面上で、デジタル３Ｄ表現物上にテクスチャとしてカラー・データを表示することが有用である。色及び幾何学形状の組合せ物は、データのみのいずれの形式よりも強力な情報伝達体である。例えば、歯科医は、異なる種類の組織を更に容易に区別し得る。表面幾何学形状のレンダリングにおいて、例えば、鮮鋭な縁部を明らかとする人工的な陰影による適切な陰影付けは、テクスチャのみが行い得るよりも良好に、テクスチャ上への表面幾何学形状の移動を支援し得る。
【０１１４】
上記多色光源がマルチダイLEDまたは類似物であるとき、上記スキャナ・システムは、蛍光を検出するためにも使用され得る。開示されたスキャナ・システムを用い、表面幾何学形状上に蛍光を表示する方法が開示される。
【０１１５】
幾つかの実施例において、上記スキャナは、上記マルチダイLEDにおけるLEDダイの下位集合のみにより対象物を照らすことにより該対象物上に蛍光を励起すべく構成され、その場合に上記蛍光は、少なくとも概略的に蛍光の色に合致するカラー・フィルタを有するカラー画像センサ中のピクセルのみを専らまたは選好的に読み取ることにより、すなわち、長波長光に対するフィルタを有する画像センサのピクセルのみにおける強度を測定することにより、記録される。換言すると、マルチダイLEDにおけるLEDダイの下位集合から発せられた光が対象物における蛍光物質を励起し且つスキャナはこれらの蛍光物質から発せられた蛍光を記録し得る如く、上記スキャナは、上記LEDダイの下位集合のみを選択的に起動し得ると共に、上記LEDダイの下位集合の波長よりも長い波長におけるカラー・フィルタを有するカラー画像センサにおけるピクセルのみを専ら記録しまたは選好的に読み取り得る。上記ダイの下位集合は好適には、紫外、青色、緑色、黄色、または、赤色のLEDダイの如く、対象物における蛍光物質の励起スペクトル内の光を発する一つ以上のLEDダイを備える。斯かる蛍光測定は、２Ｄカラー画像に酷似した２Ｄデータをもたらすが、２Ｄ画像とは異なり、それは、表面幾何学形状と同時的には取り込まれ得ない。低速で移動する、及び／または、適切な補間を備えたスキャナに対し、蛍光画像は依然として、表面幾何学形状に重畳され得る。歯の上に蛍光を表示することは有用である、と言うのも、虫歯及び歯垢の検出が支援され得るからである。
【０１１６】
幾つかの実施例において、上記データ処理システムは、上記カラー画像センサにより獲得された２Ｄ画像から表面幾何学形状情報を抽出すべく、且つ、同一の画像から表面色を決定すべく構成されたマイクロプロセッサ・ユニットを備える。
【０１１７】
上記データ処理システムは、上記スキャナ・システムの種々の部分に分散された複数のユニットを備え得る。静止的なユニットに対して接続された手持ち部分を備えるスキャナ・システムに対し、上記データ処理システムは、例えば、上記手持ち部分に一体化された一つのユニット、及び、上記静止的ユニットに一体化された別のユニットを備え得る。このことは、手持ちユニットから静止的ユニットに対してデータを転送するデータ接続構造が、カラー画像センサからのデータ・ストリームを取扱い得ない帯域幅を有するときに有用であり得る。そのときに、手持ちユニットにおける予備的なデータ処理は、上記データ接続構造を介して転送されるべきデータの量を減少し得る。
【０１１８】
幾つかの実施例において、上記データ処理システムは、上記後処理を実施するためのコンピュータ実行型アルゴリズムが記憶されたコンピュータ可読媒体を備える。
【０１１９】
幾つかの実施例において、上記データ処理システムの一部は、カートまたはパーソナルコンピュータに一体化される。
【０１２０】
開示されたスキャナ・システムを用い、各概観がスキャナ及び対象物の実質的に固定された相対配向を表すという幾つかの概観からの色及び／または表面幾何学形状を平均化する方法が開示される。
【０１２１】
開示されたスキャナ・システムを用い、単一の概観において可能であるよりも更に完全な対象物の包含範囲を達成する如く、各概観がスキャナ及び対象物の実質的に固定された相対配向を表すという幾つかの概観からの色及び／または表面幾何学形状を組み合わせるという方法が開示される。
【０１２２】
対象物の表面幾何学形状及び表面色を獲得するスキャナであって、該スキャナは、
プローブ光を提供すべく構成された多色光源と、
上記対象物から受信された光の一つ以上の２Ｄ画像を記録する画像センサ・ピクセルのアレイを備えるカラー画像センサと、
を備え、
上記画像センサ・ピクセルの少なくとも一つのブロックに対し、上記対象物の一部分の表面色及び表面幾何学形状の両方が、少なくとも部分的に、上記カラー画像センサにより記録された一つの２Ｄ画像から導出される、
スキャナ・システムが開示される。
【０１２３】
対象物の表面幾何学形状及び表面色を記録するスキャナ・システムであって、該スキャナ・システムは、
多色プローブ光を提供すべく構成された多色光源と、
上記対象物から受信された光の一つ以上の２Ｄ画像を捕捉する画像センサ・ピクセルのアレイを備えるカラー画像センサと、
を備え、
上記画像センサ・ピクセルの少なくとも一つのブロックに対し、上記対象物の一部分の表面色情報及び表面幾何学形状情報の両方が、少なくとも部分的に、上記カラー画像センサにより捕捉された一つの２Ｄ画像から導出される、
スキャナ・システムが開示される。
【０１２４】
対象物の表面幾何学形状及び表面色を記録するスキャナ・システムであって、該スキャナ・システムは、
プローブ光を提供すべく構成された多色光源と、
画像センサ・ピクセルのアレイを備えるカラー画像センサと、
上記対象物の２Ｄ画像が上記カラー画像センサにより捕捉され得る如く、上記対象物から受信された光を上記カラー画像センサまで案内すべく構成された光学システムと、
を備え、
当該スキャナ・システムは、表面色情報及び表面幾何学形状情報が当該スキャナにより同時に獲得される如く、上記対象物の一部分の所定数の２Ｄ画像を捕捉すべく、且つ、少なくとも、上記カラー画像センサ・ピクセルのブロックに対して上記捕捉済み２Ｄ画像の内の少なくとも一つの２Ｄ画像から上記対象物の上記部分の表面色情報及び表面幾何学形状情報の両方を導出すべく構成される、
スキャナ・システムが開示される。
【０１２５】
対象物の表面幾何学形状及び表面色を記録するスキャナ・システムであって、
プローブ光を提供すべく構成された多色光源と、
画像センサ・ピクセルのアレイを備えるカラー画像センサであって、該画像センサは、上記対象物から受信された光の２Ｄ画像を捕捉すべく配置されるというカラー画像センサと、
上記カラー画像センサにより捕捉された上記２Ｄ画像の内の少なくとも一つの２Ｄ画像から上記対象物の少なくとも一部の表面色情報及び表面幾何学形状情報の両方を導出すべく構成された画像プロセッサと、
を備える、スキャナ・システムが開示される。
【０１２６】
対象物の表面幾何学形状及び表面色を記録するスキャナ・システムであって、
上記各実施例の内のいずれかに係るスキャナ・システムであって、該スキャナ・システムは、上記対象物の表面色及び表面幾何学形状を導出すべく、且つ、選択的に、上記対象物の上記部分の部分的走査結果またはデジタル３Ｄ表現物を生成すべく構成されるというスキャナ・システムと、
上記カラー画像センサからの表面幾何学形状及び／または表面色を後処理すべく、または、生成された部分的走査結果またはデジタル３Ｄ表現物を後処理すべく構成されたデータ処理ユニットと、
を備える、スキャナ・システムが開示される。
【０１２７】
対象物の表面幾何学形状及び表面色を記録する方法であって、
上記各実施例の内のいずれかに係るスキャナまたはスキャナ・システムを配備する段階と、
上記多色光源からのプローブ光により上記対象物の表面を照らす段階と、
上記カラー画像センサを用いて上記対象物の一つ以上の２Ｄ画像を記録する段階と、
上記スキャナにより表面色及び表面幾何学形状が同時に獲得される如く、少なくとも上記画像センサ・ピクセルのブロックに対し、上記記録された２Ｄ画像の内の少なくとも幾つかの２Ｄ画像から上記対象物の一部分の表面色及び表面幾何学形状の両方を導出する段階と、
を有する、方法が開示される。
【図面の簡単な説明】
【０１２８】
【図１】スキャナ・システムの手持ち実施例を示す図である。
【図２】先行技術のパターン生成手段及び付随する基準重みを示す図である。
【図３】パターン生成手段及び付随する基準重みを示す図である。
【図４】カラー・フィルタ・アレイを示す図である。
【図５】方法のフローチャートを示す図である。
【図６】表面幾何学形状情報及び表面幾何学形状情報が如何にして導出され得るかを示す図である。
【発明を実施するための形態】
【０１２９】
図１は、ハウジング100の内側の各構成要素を備えたスキャナ・システムの手持ち部分を示している。上記スキャナは、キャビティ内に進入され得る先端と、マルチダイLED101の形態の多色光源と、プローブ光内に空間的パターンを取入れるパターン生成素子130と、ビームスプリッタ140と、画像センサ181、電子機器及び可能的な他の複数の素子を含むカラー画像センサ180と、少なくとも一つのレンズ及び上記画像センサを典型的に備える光学システムとを備える。光源101からの光は、光学システム150を往復して進行する。この通過の間、上記光学システムは、此処では患者の一群の歯である走査されつつある対象物200上へとパターン130を結像すると共に、更に、走査されつつある対象物を画像センサ181上へと結像する。
【０１３０】
画像センサ181は、カラー・フィルタ・アレイ1000を有する。別体的な構成片として描かれているが、上記カラー・フィルタ・アレイに対しては典型的に、上記画像センサと、全てのピクセルに対する単色フィルタとが一体化される。
【０１３１】
レンズ系は、上記パターンの焦点結像面を、探査された対象物200上でシフトさせるべく調節され得る焦点合わせ素子151を含む。例示的実施例においては、単一のレンズ要素が光軸に沿って物理的に前後にシフトされる。
【０１３２】
全体として、上記光学システムは、探査されつつある対象物上への上記パターンの結像と、探査されつつある対象物からカメラ上への結像とを提供する。
【０１３３】
上記デバイスは、偏光用光学機器160を含み得る。偏光用光学機器は、選択的に、鏡面反射は結像し、且つ、走査された対象物の内側の表面下散乱に由来する不都合な拡散信号を遮断すべく使用され得る。ビームスプリッタ140もまた、偏光フィルタリング特性を有し得る。各光学素子は、反射防止被覆されることが好適であり得る。
【０１３４】
上記デバイスは、折返し用光学機器、すなわち、上記デバイスからの光を上記レンズ系の光路とは異なる方向、例えば、上記レンズ系の光路に対して直交する方向へと導向するミラー170を含み得る。
【０１３５】
上記スキャナ内には、例えば、光源101の正面における一つ以上の集光レンズなどの、付加的な光学素子が在り得る。
【０１３６】
例示的実施例において、LED101は、２個の緑色ダイ、１個の赤色ダイ及び１個の青色ダイを備えたマルチダイLEDである。表面幾何学形状を獲得するために、光の緑色部分のみが使用される。従って、ミラー170は、他の色ではなく、緑色光の円偏光の保持を最適化する如く被覆される。走査の間においては上記LED内の全てのダイが有効であり、すなわち、光を発していることから、上記スキャナは、見かけ上は、走査される対象物200上に白色光を発することを銘記されたい。上記LEDは、例えば、一つの色が他の各色よりも強力である如く、異なる強度を有する異なる色にて光を発し得る。このことは、上記カラー画像センサにおいて異なるカラー信号の夫々の読取値間のクロストークを低減するために望ましいものであり得る。例えば、RGBシステムにおける赤色及び青色のダイオードの強度が低減された場合、光源により発せられた見かけ上は白色の光は、緑がかった白色に見える。
【０１３７】
上記スキャナ・システムは更に、少なくとも部分的に、カラー画像センサ180により記録された一つの２Ｄ画像から、該カラー画像センサ180のピクセルのブロックに対し、表面幾何学形状情報及び表面色情報の両方を導出すべく構成されたデータ処理システムを備える。該データ処理システムの少なくとも一部は、図示されたスキャナ・システムの手持ち部分内に配置され得る。一部は、上記手持ち部分に対して接続されたカートの如き、上記スキャナ・システムの付加的部分内に配置されても良い。
【０１３８】
図２は、国際特許出願公開公報WO2010/145669号の空間的相関実施例における静的パターンとして適用された先行技術のパターン生成素子130の断片であって、単色画像センサ180上に結像されたという断片を示している。上記パターンはガラス上クロム・パターンであり得る。上記断片は、示されたパターンの一部のみ、すなわち、一つの周期を示している。この周期は、6×6の画像ピクセルのピクセル・ブロック、及び、2×2のパターン領域により表される。図２Ａにおいて灰色で描かれた領域は実際には黒色である、と言うのも、パターン・マスクはこれらの領域に対して不透明であり、灰色は単に、視認性のために、故に、同図の明瞭化のためにのみ選択されているからである。図２Ｂは、次式の如くn＝6×6＝36であるときに、上記ピクセル・ブロックに対する空間的相関測度Aを算出するための基準重みfを示している：
【０１３９】
【数３】
2019066494.tif 000005
【０１４０】
式中、Iは、与えられた画像に対して上記ピクセル・ブロック内の36個のピクセルにおいて測定された強度値である。画像センサのピクセルとパターン領域との間の完全な整列は、必要ではないが、表面幾何学形状の測定に対して最良の信号を与えることを銘記されたい。
【０１４１】
図３は、カラー走査に対する図２における原理の拡張を示している。パターンは図２におけるのと同一であり、画像センサの幾何学形状もそうである。但し、画像センサは、Bayerカラー・フィルタ・アレイによるカラー画像センサである。図３Ａにおいて、ピクセル記号「B」は青色カラー・フィルタを有する一方、「G」は緑色の及び「R」は赤色のピクセル・フィルタを夫々表している。図３Ｂは、対応する基準重みfを示している。緑色ピクセルのみが非ゼロ値を有することを銘記されたい。これは、表面幾何学形状情報を記録するために、スペクトルの緑色部分のみが使用されるからである。
【０１４２】
図３のパターン／カラー・フィルタ組み合わせに対し、ピクセル・ブロック内のカラー成分cjは次式として獲得され得る：
【０１４３】
【数４】
2019066494.tif 000006
【０１４４】
式中、gj,i＝ピクセルiがカラーcjに対してフィルタを有するなら１であり、その他の場合には０である。Bayerパターンにおけるのと同様であるRGBカラー・フィルタ・アレイに対し、jは赤色、緑色または青色の内の一つである。典型的には、変化するフィルタ効率、照明源効率、及び、フィルタ・パターンにおける各カラー成分の異なる割合に対する補償として、自然なカラー・データを獲得するためには、個々のカラー成分の更なる加重、すなわち色較正が必要とされ得る。上記較正は、視界内の焦点面の箇所及び／または位置にも依存し得る、と言うのも、LED構成要素カラーの混合は、それらの要因により変動し得るからである。
【０１４５】
図４は、Bayerパターンにおけるよりも高い割合の緑色ピクセルを備えた本発明のカラー・フィルタ・アレイを示している。該カラー・フィルタ・アレイは、6×6のカラー・フィルタの複数のセルを備え、各セルの位置(2,2)及び(5,5)における青色カラー・フィルタ、位置(2,5)及び(5,2)における赤色カラー・フィルタ、及び、セルの残りの全ての位置における緑色カラー・フィルタを備えている。
【０１４６】
表面幾何学形状情報を獲得するために照明の緑色部分のみが使用されると想定すると、図４のフィルタは可能的に、更に不十分なカラー表現という代償を以て、Bayerパターン・フィルタよりも良好な品質の獲得済み表面幾何学形状を提供する。更に不十分であるカラー表現は多くの場合において依然として十分である一方、更に良好な品質の獲得済み表面幾何学形状は、非常に好適であることが多い。
【０１４７】
図５は、対象物の表面幾何学形状及び表面色を記録する方法のフローチャート541を示している。
【０１４８】
ステップ542においては、先の各請求項の内のいずれかに係るスキャナ・システムが獲得される。
【０１４９】
ステップ543において、対象物は多色プローブ光により照らされる。相関測度または相関測度機能を活用する焦点走査システムにおいて、プローブ光上には、当該パターンに関する情報が、捕捉された２Ｄ画像から表面幾何学形状情報を決定するために使用され得る如く、市松模様パターンが課され得る。
【０１５０】
ステップ544においては、上記カラー画像センサを用いて、上記対象物の一連の２Ｄ画像が捕捉される。各２Ｄ画像は、即時に処理されるか、後時の処理のためにメモリ・ユニット内に記憶され得る。
【０１５１】
ステップ545においては、少なくとも部分的に、一つの捕捉済み２Ｄ画像から、画像センサ・ピクセルのブロックに対して表面幾何学形状情報及び表面色情報の両方が導出される。上記情報は、例えば、本明細書中に記述された相関測度手法を用いて導出され得る。導出された各情報は、ステップ546において上記対象物の部分的走査結果(sub-scan)を生成すべく組み合わされ、その場合に上記部分的走査結果は、一つの視点から視認された上記対象物の幾何学形状及び色を表すデータを備える。
【０１５２】
ステップ547においては、幾つかの部分的走査結果を組み合わせることにより、上記対象物の色及び幾何学形状を表すデジタル３Ｄ表現物が生成される。これは、文献において広く知られる統合して位置合わせするアルゴリズムの如き、部分的走査結果の整列に対する公知のアルゴリズムを用いて行われ得る。
【０１５３】
図６は、画像センサ・ピクセルのブロックに対し、少なくとも一つの２Ｄ画像から表面幾何学形状情報及び表面幾何学形状情報が如何にして導出され得るかを示している。
【０１５４】
全ての焦点面位置に対し、すなわち、一つの積層群の２Ｄ画像の全てに対し、上記カラー画像センサ上の全ての有効なセンサ・ピクセル群に対し、相関測度が決定される。上記積層群の一端からの各２Ｄ画像を解析することにより開始し、全ての有効な画像センサ・ピクセル群に対する相関測度が決定され、且つ、算出された値が記憶される。上記積層群を通して進展し、各ピクセル群に対する相関測度が決定され、且つ、先に記憶された値、すなわち、先に解析された２Ｄ画像に対する値と共に記憶される。
【０１５５】
次に、決定された相関測度値を平滑化かつ補間することにより、各ピクセル群に対し、光軸に沿う相関測度の変動を記述する相関測度関数が決定される。例えば、記録された最大値の両側にて幾つかの画像にわたるピクセル・ブロックに対する各値に対しては多項式が適合され得ると共に、推定された最大値の箇所は、適合された多項式の最大値から見出され得、それは２つの画像の中間であり得る。
【０１５６】
ピクセル群に対する表面色情報は、上記相関測度の最大値が決定された一つ以上の２Ｄ画像から導出され、すなわち、上記カラー画像センサの一群のピクセルからの表面幾何学形状情報及び表面色情報は、上記積層群の同一の複数の２Ｄ画像から導出される。
【０１５７】
上記表面色情報は、一つの２Ｄ画像から導出され得る。一つの２Ｄ画像が解析されたとき、異なるピクセル群に対する相関測度に対する値は、先に解析された各２Ｄ画像に対して現在にて最高の値と比較され得る。もし、上記相関測度が、そのピクセル群に対する新たな最大値であるなら、少なくとも、このピクセル群に対応する上記２Ｄ画像の部分が保存される。そのピクセル群に対し、次の回にて更に大きな相関値が見出されたなら、この２Ｄ画像のその部分は、先に記憶された画像／下位画像を上書きして保存される。これにより、上記積層群の全ての２Ｄ画像が解析されたとき、各２Ｄ画像の表面幾何学形状情報は、画像センサ・ピクセルの各ブロックに対して最大値が記録される、という各ピクセル群に対する一連の相関測度値へと変換される。
【０１５８】
図６Ａは、各２Ｄ画像が異なる焦点面位置において獲得されたという、焦点走査システムを用いて獲得された２Ｄ画像の積層群の一部分661を示している。各２Ｄ画像662においては、画像センサ・ピクセルのブロックに対応する部分663が表されている。該ブロックは、一群の座標(xi,yi)に対応する。上記焦点走査システムは、画像センサ・ピクセルの各ブロックと、積層群における各２Ｄ画像とに対する相関測度を決定すべく構成される。図６Ｂには、ブロック663に対して(此処では「×」により表された)決定された相関測度664が示される。決定された相関測度664に基づき、此処では多項式として相関測度関数665が算出され、且つ、該相関測度関数に対する最大値が位置ziにおいて見出される。適合された多項式が最大値(zi)を有するz値は、対象物表面の点として特定される。このブロックから導出された表面幾何学形状情報は次に、座標(xi,yi,zi)の形態で呈示され得ると共に、上記画像センサの幾つかのブロックに対する表面幾何学形状情報を組み合わせることにより、上記対象物の一部分の幾何学形状を表現する部分的走査結果が生成され得る。
【０１５９】
図６Ｃには、画像センサ・ピクセルの各ブロックに対する２つの２Ｄ画像から表面色幾何学形状を導出する手順が示される。上述された手順を用いて２つの２Ｄ画像が記憶されると共に、ピクセル・ブロックに対するそれらのRGB値が決定される。図６Ｃにおいては、各R値666が表示される。次に、補間により、zi位置にて平均されたR値667(ならびに、平均されたG及びB値)が決定されると共に、このブロックに対する表面色情報として使用され得る。この表面色情報は、明らかに、少なくとも部分的に上記幾何学形状情報が導出されたのと同一の２Ｄ画像から導出される。
【図１】
2019066494.tif 000007
【図２】
2019066494.tif 000008
【図３】
2019066494.tif 000009
【図４】
2019066494.tif 000010
【図５】
2019066494.tif 000011
【図６】
2019066494.tif 000012
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
対象物（２００）の表面幾何学形状及び表面色を記録する焦点スキャナ・システムであって、光軸に沿い焦点面を平行移動させ、前記対象物に対して異なる焦点面位置のための２Ｄカラー画像の１つの積層（６６１）を捕捉することにより操作する焦点スキャナ・システムにおいて、
該焦点スキャナ・システムは、
前記対象物の照明のための多色プローブ光を提供すべく構成された１つの多色光源（１０１）と、
前記対象物（２００）から受信された光の２Ｄ画像（６６２）を捕捉する画像センサ・ピクセルのアレイを備えるカラー画像センサ（１８０）であって、当該カラー画像センサ（１８０）は、少なくとも３つの型のカラー・フィルタであって、各カラー・フィルタが夫々、既知である波長範囲W1、W2及びW3の光が当該カラー・フィルタを通り前記画像センサ・ピクセルへ伝搬することを許容するカラー・フィルタを備えるカラー・フィルタ・アレイを有するカラー画像センサ（１８０）と、
画像センサ・ピクセルのブロック（６６３）を分析すべく構成されたデータ処理システムであって、画像センサ・ピクセルの所定のブロック（６６３）に対して、
表面幾何学形状情報が、当該焦点スキャナ・システムからのいずれの距離にて前記対象物（２００）が焦点内に在るかを特定することにより導出され、焦点内に在る場合に、前記２Ｄカラー画像の前記積層（６６１）における少なくとも１つの２Ｄ画像（６６２）が、特定されて前記表面幾何学形状情報の導出に関連するデータ処理システムにおいて、
表面色情報が、前記ブロック（６６３）において前記カラー・フィルタを通して且つ特定された前記少なくとも１つの２Ｄ画像（６６２）から捕捉された色によって導出されることを特徴とするデータ処理システムと、
を具備する焦点スキャナ・システム。
【請求項２】
前記データ処理システムが、画像センサ・ピクセルの複数のブロック（６６３）から導出された表面幾何学形状情報及び表面色情報に基づき、対象物表面の一部の部分的走査結果を生成すべく構成され、所定数の部分的走査結果を組み合わせて前記対象物（２００）のデジタル３Ｄ表現物を生成すべく構成される請求項１に記載の焦点スキャナ・システム。
【請求項３】
当該焦点スキャナ・システムは、前記プローブ光中に空間的パターンを取入れるべく構成されたパターン生成素子（１３０）を備え、前記表面幾何学形状情報及び前記表面色情報を導出する段階は、幾つかの２Ｄ画像（６６２）に対し、画像センサ・ピクセルの前記ブロック（６６３）により捕捉された前記２Ｄ画像の部分と加重関数との間の相関測度（６６４）を算出する段階を有し、n>1個の要素において信号ベクトルI＝(I1、…、In)が、前記光軸に沿った前記焦点面の１つの位置での画像センサ・ピクセルの前記ブロックのためのセンサ信号を表し、前記加重関数が、前記空間的パターンの構成の情報に基づいて決定される基準重みの基準ベクトルf＝(f1、…、fn)により与えられ、ピクセルの各ブロック及び各焦点面位置の相関測度が、前記信号ベクトル及び前記基準ベクトルから算出されるドット積として導出される請求項１または請求項２に記載の焦点スキャナ・システム。
【請求項４】
画像センサ・ピクセルのブロック（６６３）に対して前記表面幾何学形状情報及び前記表面色情報を導出する段階は、前記光軸に沿い、対応する前記相関測度（６６４）が最大値を有する位置を特定する段階を有する請求項３に記載の焦点スキャナ・システム。
【請求項５】
前記データ処理システムは、前記２Ｄ画像（６６２）の内で、前記相関測度（６６４）が画像センサ・ピクセルの対応ブロック（６６３）に対して最大値を有する、前記積層（６６１）における前記２Ｄ画像（６６２）の前記表面色情報に基づき、生成された部分的走査結果上の点に対する部分的走査結果の色を決定すべく構成される請求項３または４に記載のスキャナ・システム。
【請求項６】
前記データ処理システムは、前記２Ｄ画像（６６２）の内で、前記相関測度（６６４）が画像センサ・ピクセルの対応ブロック（６６３）に対して最大値を有する、前記積層（６６１）における前記２Ｄ画像（６６２）の前記表面色情報と、捕捉された前記２Ｄ画像の前記積層（６６３）からの隣接２Ｄ画像（６６２）の如き少なくとも一つの付加的な２Ｄ画像（６６２）とに基づき、生成された部分的走査結果上の点に対する部分的走査結果の色を決定すべく構成される請求項３または４に記載のスキャナ・システム。
【請求項７】
前記データ処理システムは、前記部分的走査結果の色を決定するときに、前記積層（６６３）における隣接２Ｄ画像（６６２）の表面色情報の補間の如き、前記積層（６６３）における少なくとも２つの２Ｄ画像（６６２）の表面色情報を補間すべく構成される請求項６に記載のスキャナ・システム。
【請求項８】
前記データ処理システムは、前記部分的走査結果の所定数の点に対して平均化された部分的走査結果の色を算出すべく構成され、前記算出段階は、前記部分的走査結果上の周囲の複数の点の色の加重平均の如き異なる複数の点の部分的走査結果の色を平均化する段階を有する請求項２から請求項７のいずれか一つの請求項に記載のスキャナ・システム。
【請求項９】
前記データ処理システムは、前記対象物（２００）の生成された前記デジタル３Ｄ表現物が該対象物の幾何学形状及び色の変化特性の両方を表現するように、前記デジタル３Ｄ表現物を生成すべく組み合わされた前記部分的走査結果の色から、前記デジタル３Ｄ表現物の少なくとも一つの点の対象物カラーを決定すべく構成される請求項５から請求項８のいずれか一つの請求項に記載のスキャナ・システム。
【請求項１０】
前記対象物カラーを決定する段階は、対象物表面のその点において重なり合う複数の部分的走査結果における対応点に対して導出された部分的走査結果のカラー値の加重平均値を算出する段階を有する請求項９に記載のスキャナ・システム。
【請求項１１】
前記データ処理システムは、前記２Ｄ画像のピクセルまたはピクセル群のカラー値を前記多色光源（１０１）の色と比較することにより、捕捉された前記２Ｄ画像（６６２）において飽和ピクセルを検出すべく、且つ、
平滑化された部分的走査結果の色を算出する上で、前記飽和ピクセルの表面色情報に対して低い重みを割当てることにより、及び／又は、前記飽和ピクセルに基づいて算出された部分的走査結果の色に対して低い重みを割当てることにより、導出された前記表面色情報または部分的走査結果の色においてピクセル飽和により引き起こされたエラーを緩和もしくは除去すべく構成される請求項１から請求項１０のいずれか一つの請求項に記載のスキャナ・システム。
【請求項１２】
前記表面幾何学形状情報は、前記多色光源（１０１）により提供されるスペクトルの選択波長範囲における光から導出される請求項１から請求項１１のいずれか一つの請求項に記載のスキャナ・システム。
【請求項１３】
前記カラー・フィルタ・アレイは、前記スペクトルの選択された波長範囲に合致する該アレイの前記カラー・フィルタの割合が、50％超であり、斯かる割合は32／36、60／64または96／100に等しい如きである請求項１２に記載のスキャナ・システム。
【請求項１４】
前記選択された波長範囲は前記W2波長範囲に合致し、
前記カラー・フィルタ・アレイは、6×6カラー・フィルタの複数のセルを備え、
各セルの位置(2,2)及び(5,5)におけるカラー・フィルタは前記W1型であり、位置(2,5)及び(5,2)におけるカラー・フィルタは前記W3型であり、
前記6×6セルにおける残りの32個のカラー・フィルタは、前記W2型である請求項１２または請求項１３に記載のスキャナ・システム。
【請求項１５】
請求項１から請求項１４のいずれか一つの請求項に記載のスキャナ・システムを用いて、対象物（２００）の表面幾何学形状及び表面色を記録する方法であって、
前記多色光源（１０１）からの多色プローブ光により前記対象物の表面を照らす段階と、
前記カラー画像センサ（１８０）を用いて前記対象物の一連の２Ｄ画像（６６２）を捕捉する段階と、
画像センサ・ピクセルのブロック（６６３）に対する幾何学形状情報及び表面色情報の両方を導出する段階であって、
表面幾何学形状情報が、前記焦点スキャナ・システムからのいずれの距離にて前記対象物（２００）が焦点内に在るかを特定することにより導出され、焦点内に在る場合に、前記２Ｄカラー画像の前記積層（６６３）における少なくとも１つの２Ｄ画像（６６２）が、特定されて前記表面幾何学形状情報の導出に関連する段階において、
表面色情報が、前記ブロック（６６３）において前記カラー・フィルタを通して且つ特定された前記少なくとも１つの２Ｄ画像（６６２）から捕捉された色によって導出されることを特徴とする導出する段階と、
を有する方法。
【外国語明細書】
2019066494000001.pdf